(57)【要約】【課題】    箱型構造であって、蓋部材を開けた時は仏壇として機能し、蓋部材を閉じた時は直ちに元の箱型構造に戻すことができる卓上仏壇を提供すること。【解決手段】      仏壇が、上面が開口している箱主体２と、箱主体２に蝶番３を介して開閉自在に設けた蓋部材４とからなる。蓋部材４の内側面に本尊表記部４１と戒名表記部４２を設け、また、箱主体２には引出し及び格納が可能な載置板２６を設けている。箱主体２内には故人の写真又は故人に所縁の品、あるいは、供物皿などの仏具を収納する。【選択図】    図１
0003110273.tif 000002
【実用新案登録請求の範囲】
【請求項１】
仏壇が、上面が開口している箱主体（２）と、該箱主体に蝶番を介して開閉自在に設けた蓋部材（４）とからなり、上記蓋部材の内側面に戒名表記部（４２）を設けたことを特徴とする卓上仏壇。
【請求項２】
蓋部材（４）は、内側面に設けた戒名表記部（４２）に隣接して本尊表記部（４１）を設けたことを特徴とする請求項１に記載の卓上仏壇。
【請求項３】
箱主体（２）は、引出し及び格納可能な載置板（２６）を設けたことを特徴とする請求項１又は２に記載の卓上仏壇。
【考案の詳細な説明】
【技術分野】
【０００１】
本考案は、卓上仏壇に関するものである。
【背景技術】
【０００２】
古くから我国の文化として各家庭には仏壇があったが、生活形態が著しく変化し、マンション形式の住居に住むようになるに伴い、住環境の空間にゆとりが少なくなり、仏間は勿論のこと仏壇を設置するスペースを確保することが困難になってきており、近時は、仏壇を備えていない家庭が急増している。
【０００３】
仏具メーカーから、小型で改良された仏壇が提供されており、小さな住空間にも設置可能なものが提供されているが、価格の問題もあって必ずしも多くの家庭に普及しているとはいえないのが実情である。
【０００４】
従来から、箱型に形成され、卓上に設置できる仏壇が提案されており、一例として下記の特許文献１ないし３に記載されたものが知られている。
【特許文献１】特開２００３−６１８１１号公報
【特許文献２】実用新案登録第３０９５６０３号公報
【特許文献３】実用新案登録第３０９８１８８号公報
【０００５】
特許文献１に記載の仏壇は、箱本体１０内に三具足等の仏具を載置するための檀座１２を配置するとともに、箱本体１０に対し檀座１２を前後方向にスライド可能としたものであって、檀座１２には内側に御本尊の掛け軸等の礼拝対象物を配置可能とした蓋部材１４を蝶番１６を介して開閉自在に取付けたものである。使用時には、閉じられた蓋部材１４を前方に若干移動した状態で起し、直立状態を保持して箱本体１０の内側に配置した御本尊の掛け軸等を現わしている（特許文献１の図６を参照）。
【０００６】
特許文献２に記載の仏壇は、上面が開口された箱主体ａと、箱主体ａの上面開口に対して開閉自在に設けた蓋体兼祭壇板ｂとを有し、蓋体兼祭壇板ｂの裏面に差込み用溝７を形成した祭器祭具支持部ｃを設けたものであって、箱主体ａに供物皿１３、花器１４、位牌用台板１５等を収容する。使用時には、蓋体兼祭壇板ｂを裏面を上に向けて箱主体ａの上面開口に載置し、蓋体兼祭壇板ｂに供物皿１３、花器１４を載せ、祭器祭具支持部ｃの差込み用溝７に写真支持具ｅ及び位牌用台板１５を差込むものである（特許文献２の図１を参照）。
【０００７】
また、特許文献３に記載の仏壇は、箱型の本体１と、本体１の開口部に被せる蓋２とからなり、本体１は、取外し可能な位牌３を収容するとともに内面に本尊（絵や写真）又は遺影４を配置したものであり、蓋２は、内面に経典５などが印刷されているものである。使用時には、蓋２を外して本体１に収容した位牌３を表面に向けて設置し、蓋２は内面を表に向けて本体１の前方に置く（特許文献３の図１を参照）。
【０００８】
上記した特許文献１ないし３に記載の仏壇は、いずれも蓋部材を備えており、使用しない時は蓋部材を閉じて箱状に形成できることの特徴を有している。特許文献３は、使用する時に本体１の前面に蓋２を置くだけで仏壇として機能するものであるから、使用中であっても蓋部材を閉じれば直ちに元の箱形状に戻すことができるが、特許文献１及び２は、蓋部材を仏具の載置台として利用しているので、蓋部材を閉じる前に仏具を整理しなくてはならないものとなっている。
【０００９】
すなわち、特許文献１では、檀座１２上に三具足等の仏具を載置しているから、仏具を箱本体１０に収容してからでないと蓋部材を閉じることができず、特許文献２では、写真支持具ｅ及び位牌用台板１５を祭器祭具支持部ｃから取外してからでないと蓋部材を閉じることができないので、仏壇を元の箱形状に戻すのに手間取り、例えば、急な来客があって急いで元の箱形状に戻したい時に迅速に対処できないといった問題がある。
【考案の開示】
【考案が解決しようとする課題】
【００１０】
本考案は、仏壇が開閉自在な蓋部材を有する箱型構造であって、蓋部材を開けた時は仏壇として機能し、蓋部材を閉じた時は直ちに元の箱型構造に戻すことができる卓上仏壇を提供することを課題としている。
【課題を解決するための手段】
【００１１】
解決手段の第１は、仏壇が、上面が開口している箱主体と、該箱主体に蝶番を介して開閉自在に設けた蓋部材とからなり、上記蓋部材の内側面に戒名表記部を設けたことを特徴とする。
【００１２】
解決手段の第２は、解決手段の第１において、蓋部材が、内側面に設けた戒名表記部に隣接して本尊表記部を設けていることを特徴とする。
【００１３】
解決手段の第３は、解決手段の第１又は第２において、箱主体が、引出し及び格納可能な載置板を設けていることを特徴とする。
【考案の効果】
【００１４】
請求項１は、蓋部材の内側面に戒名表記部が設けられているので、蓋部材を開けただけで直ぐに故人を拝み又は偲ぶことができるものであり、迅速かつ容易に仏事を行なうことができる効果がある。
【００１５】
請求項２は、蓋部材の内側面に戒名表記部とともに本尊表記部が設けられているので、蓋部材を開けただけで直ぐに本尊とともに故人を拝み又は偲ぶことができるものでき、迅速かつ容易に仏事を行なうことができる効果がある。
【００１６】
請求項３は、箱主体に載置板を引出し及び格納可能に設けられているので、仏壇の使用時に載置板を引出して供物又は鈴などを載せることができる効果がある。
【考案を実施するための最良の形態】
【００１７】
図１は蓋部材を開け載置板を引出した状態を示す全体の斜視図であり、図２は蓋部材を閉じた状態を示すもので前方から見た全体の斜視図であり、図３は蓋部材を閉じた状態を示すもので後方から見た全体の斜視図であり、図４は蓋部材を閉じた状態で縦方向に破断した断面図である。
【００１８】
各図において、本考案の卓上仏壇１は、上面が開口している箱主体２と、該箱主体２の開口部に蝶番３を介して開閉自在に設けた蓋部材４とからなるものである。
【００１９】
箱主体２は、底板２０、正面板２１、二つの側面板２２、背面板２３を有する箱型形状を呈しており、底板２０の周縁部に当該底板２０との間に空間が形成できる袴台２４を設けている。また、正面板２１には、上記の袴台２４の内側に形成された空間部分と貫通する差込口２５が形成されており、該差込口２５から袴台２４の空間部分に向かって載置板２６が摺動自在に挿入され、箱主体２に対し引出し及び格納可能に設けられている。
【００２０】
載置板２６は、前面端部（箱主体２の正面板２１に向う側端部）に引出し用の摘み片２６１を設けるとともに、前面端部の両側部に平面視三角形状の係合突起２６２が形成されており、当該載置板２６を箱主体２に挿入した時に上記係合突起２６２を正面板２１に当接して停止させている。また、箱主体２から抜け出ないようにするために後面端部（箱主体２の背面板２２に向う側端部）にストッパー２６３が設けられている。なお、載置板２６は、袴台２４の空間部分に設けた横桟２７に支持されていて箱主体２から脱落しないようになっている。
【００２１】
上記した載置板２６は、底板２０の下側に設けられているから箱主体２の開口からは見えないようになっているが、箱主体２の内側面を形成する底板２０、正面板２１、二つの側面板２２、背面板２３の各内側部分に内張り化粧布５を貼付している。
【００２２】
蓋部材４は、内側表面に表示版４０を埋め込んだものであって、該表示版４０に本尊表記部４１と戒名表記部４２を形成したものである。実施形態では、表示版４０の正面中央位置に本尊表記部４１を形成し、その両側に戒名表記部４２を形成している。なお、戒名表記部４２は、片側で３名分の戒名が表記できるものとし、両側で６名が表記できるように形成しているが、本尊表記部４１と戒名表記部４２の配置並びに大きさの配分は任意である。
【００２３】
図４を参照して、箱主体２と蓋部材４を結合する蝶番３の取付け部分は、蓋部材４の端縁及び背面板２３の端縁をいずれも斜状に削成しているから、図１に示すように、蓋部材４を開けた時に当該蓋部材４が垂直位置から僅かに後方に傾斜して、この傾斜状態を維持できるものとなっている。
【００２４】
本考案の卓上仏壇は、蓋部材４に戒名を表記して位牌を兼ねたものとしているので、仏壇に「開眼」を施している。箱主体２の背面板２３に開眼板５を貼付し、戒名表記部４２に戒名を記載した時に、僧侶による開眼が施せるようにしている。
【００２５】
次に、本考案の卓上仏壇の使用方法を説明する。蓋部材４の本尊表記部４１には予め本尊が表記されているものとする。仏壇の使用者は、戒名表記部４２に戒名を記載し、僧侶による開眼を受ける。開眼は、仏の魂を迎え入れるものであるから、開眼をした年月日と僧侶の氏名を開眼板６に記載する。このようにすることにより、仏壇としての体裁が整ったことになる。また、箱主体２には、故人の写真など故人に所縁の品を収納するか、あるいは、仏壇が通常備えている仏具、例えば、供物皿又は鈴などを収納する。
【００２６】
本考案の卓上仏壇は、家具の上などの適当なところに置き、図１に示すように、蓋部材４を開けて故人を拝み故人を偲ぶものである。蓋部材４を開けた時は、箱主体２内に収納した故人所縁の品を同時に見ることができるので、蓋部材４を開けただけで故人を身近に感じることができるものとなる。また、箱主体２の前面に載置板２６を引き出せば、該載置板２６に供物又は鈴などを載せることができる。
【００２７】
なお、本考案の卓上仏壇は、箱主体２の開口部を覆う蓋部材４の内側面に仏具としての装飾が全て施されているので、蓋部材４を閉じた状態では、卓上に置かれた室内装飾品となるものであり、例えば、急の来客があった時など、当該蓋部材４を閉めるだけで仏壇のイメージを客に与えないようにすることができるものとなる。
【図面の簡単な説明】
【００２８】
【図１】蓋部材を開け載置板を引出した状態を示す全体の斜視図。
【図２】蓋部材を閉じた状態を示すもので前方から見た全体の斜視図。
【図３】蓋部材を閉じた状態を示すもので後方から見た全体の斜視図。
【図４】蓋部材を閉じた状態で縦方向に破断した断面図。
【符号の説明】
【００２９】
１  卓上仏壇
２  箱主体
２０  底板
２１  正面板
２２  側板
２３  背面板
２４  袴台
２５  差込口
２６  載置板
２６１  摘み片
２６２  突起
２６３  ストッパー
２７  横桟
３  蝶番
４  蓋部材
４０  表示版
４１  本尊表記部
４２  戒名表記部
５  内張り化粧布
６  開眼板
【図１】
0003110273.tif 000003
【図２】
0003110273.tif 000004
【図３】
0003110273.tif 000005
【図４】
0003110273.tif 000006